(57)【要約】【課題】簡素な構成で、動力や複雑な制御を必要とせず、折板屋根の外表面の塗装を短時間で効率的に行うことが可能な折板屋根用塗装機を提供する。【解決手段】断面台形状の凸条部１１と平坦部１２が交互に連続して形成された折板屋根１３の外表面の塗装に用いられる折板屋根用塗装機１０であって、平坦部１２上で転動する移動手段１４を有し、隣り合う少なくとも２つの凸条部１１に跨って折板屋根１０上を凸条部１１の長手方向に沿って移動可能な台車１５と、台車１５に取り付けられて凸条部１１及び平坦部１２の表面を塗装する塗装手段１６と、台車１５に搭載され塗装手段１６に塗料を供給する塗料供給手段１７とを備える。【選択図】図１
0003233190.tif 000002
【実用新案登録請求の範囲】
【請求項１】
断面台形状の凸条部と平坦部が交互に連続して形成された折板屋根の外表面の塗装に用いられる折板屋根用塗装機であって、
前記平坦部上で転動する移動手段を有し、隣り合う少なくとも２つの前記凸条部に跨って前記折板屋根上を該凸条部の長手方向に沿って移動可能な台車と、該台車に取り付けられて前記凸条部及び前記平坦部の表面を塗装する塗装手段と、前記台車に搭載され前記塗装手段に塗料を供給する塗料供給手段とを備えたことを特徴とする折板屋根用塗装機。
【請求項２】
請求項１記載の折板屋根用塗装機において、前記塗装手段は、前記凸条部の上面に当接して回転する上面ローラーと、前記凸条部の両側面にそれぞれ当接して回転する左側面ローラー及び右側面ローラーと、前記平坦部の上面に当接する下面ローラーとをそれぞれ２個以上有し、前記塗料供給手段は、前記塗料が収容される塗料収容部と、該塗料収容部に連結され、前記各上面ローラー、前記各左側面ローラー及び前記各右側面ローラーの上方から前記塗料を滴下する１又は複数の塗料供給管とを有することを特徴とする折板屋根用塗装機。
【請求項３】
請求項２記載の折板屋根用塗装機において、前記塗装手段は、前記各上面ローラー、前記各左側面ローラー、前記各右側面ローラー及び前記各下面ローラーをそれぞれの塗装対象面に押付ける付勢バネを有し、前記各下面ローラーは、前記台車に上下動可能に取り付けられていることを特徴とする折板屋根用塗装機。
【請求項４】
請求項２又は３記載の折板屋根用塗装機において、前記塗料供給手段は、前記塗料供給管を開閉する開閉手段を有することを特徴とする折板屋根用塗装機。
【請求項５】
請求項１〜４のいずれか１記載の折板屋根用塗装機において、前記台車に、対をなす第１、第２の把手部が設けられたことを特徴とする折板屋根用塗装機。
【考案の詳細な説明】
【技術分野】
【０００１】
本考案は、折板屋根（トタン屋根）の外表面の塗装に用いられる折板屋根用塗装機に関する。
【背景技術】
【０００２】
従来、工場等の建物の屋根として、断面台形状の凸条と平坦部が交互に連続して形成された折板屋根が知られている。そして、この折板屋根の外表面は、常時、風雨に晒されて劣化するため、定期的な塗り替えを必要とする。しかし、凹凸のない平坦状の平屋根とは異なり、塗装の自動化が困難であるため、作業者が刷毛等を用いて手作業で塗装を行わなければならず、作業に長い時間を要するという問題がある。また、作業者は、前屈み若しくは中腰の姿勢又はしゃがんだ姿勢での作業を強いられ、腰及び首等への負担が大きく、施工性に欠けるという問題がある。
一方、例えば、特許文献１には、屋根パネル山部に跨がって当該山部に沿って走行可能なハンドル付き台車に、山部の上面から当該山部の長さ方向に沿って突出しているハゼ締め部を左右両側から挟む自転可能な左右一対の塗装用ローラーを取り付け、この塗装用ローラーに塗料を供給する塗料供給手段を設けた屋根パネルのハゼ締め部塗装装置が開示されている。
【先行技術文献】
【特許文献】
【０００３】
【特許文献１】特開平１−１３５５５８号公報
【考案の概要】
【考案が解決しようとする課題】
【０００４】
特許文献１の屋根パネルのハゼ締め部塗装装置は、屋根パネル山部の上面から当該山部の長さ方向に沿って突出しているハゼ締め部を塗装することに特化されたものであり、断面台形状の凸条と平坦部が交互に連続して形成された折板屋根の外表面の塗装には対応することができなかった。
本考案は、かかる事情に鑑みてなされたもので、簡素な構成で、動力や複雑な制御を必要とせず、折板屋根の外表面の塗装を短時間で効率的に行うことが可能な折板屋根用塗装機を提供することを目的とする。
【課題を解決するための手段】
【０００５】
前記目的に沿う本考案に係る折板屋根用塗装機は、断面台形状の凸条部と平坦部が交互に連続して形成された折板屋根の外表面の塗装に用いられる折板屋根用塗装機であって、
前記平坦部上で転動する移動手段を有し、隣り合う少なくとも２つの前記凸条部に跨って前記折板屋根上を該凸条部の長手方向に沿って移動可能な台車と、該台車に取り付けられて前記凸条部及び前記平坦部の表面を塗装する塗装手段と、前記台車に搭載され前記塗装手段に塗料を供給する塗料供給手段とを備える。
【０００６】
本考案に係る折板屋根用塗装機において、前記塗装手段は、前記凸条部の上面に当接して回転する上面ローラーと、前記凸条部の両側面にそれぞれ当接して回転する左側面ローラー及び右側面ローラーと、前記平坦部の上面に当接する下面ローラーとをそれぞれ２個以上有し、前記塗料供給手段は、前記塗料が収容される塗料収容部と、該塗料収容部に連結され、前記各上面ローラー、前記各左側面ローラー及び前記各右側面ローラーの上方から前記塗料を滴下する１又は複数の塗料供給管とを有することが好ましい。
【０００７】
本考案に係る折板屋根用塗装機において、前記塗装手段は、前記各上面ローラー、前記各左側面ローラー、前記各右側面ローラー及び前記各下面ローラーをそれぞれの塗装対象面に押付ける付勢バネを有し、前記各下面ローラーは、前記台車に上下動可能に取り付けられていることが好ましい。
【０００８】
本考案に係る折板屋根用塗装機において、前記塗料供給手段は、該塗料供給管を開閉する開閉手段を有することが好ましい。
【０００９】
本考案に係る折板屋根用塗装機において、前記台車に、対をなす第１、第２の把手部が設けられてもよい。
【考案の効果】
【００１０】
本考案に係る折板屋根用塗装機によれば、作業者が、折板屋根の凸条部の長手方向に沿って台車を移動させるだけで、凸条部及び平坦部の表面を簡単かつ効率的に塗装することができ、省力性に優れ、作業者の負担を軽減することができる。
【００１１】
本考案に係る折板屋根用塗装機において、塗装手段が、凸条部の上面に当接して回転する上面ローラーと、凸条部の両側面にそれぞれ当接して回転する左側面ローラー及び右側面ローラーと、平坦部の上面に当接する下面ローラーとをそれぞれ２個以上有し、塗料供給手段が、塗料が収容される塗料収容部と、塗料収容部に連結され、各上面ローラー、各左側面ローラー及び各右側面ローラーの上方から塗料を滴下する１又は複数の塗料供給管とを有する場合、塗料収容部から塗装手段まで動力を用いることなく塗料を供給することができ、台車を移動させるだけで２つ以上の凸条部の上面及び両側面並びに該凸条部に連続する平坦部を同時に塗装することができ、施工性に優れる。
【００１２】
本考案に係る折板屋根用塗装機において、塗装手段が、各上面ローラー、各左側面ローラー、各右側面ローラー及び各下面ローラーをそれぞれの塗装対象面に押付ける付勢バネを有し、各下面ローラーが、台車に上下動可能に取り付けられている場合、塗装時に、各ローラーをそれぞれの塗装対象面（凸条部の上面と両側面及び平坦部の上面）に密着させ、斑無く確実に塗装作業を行うことができると共に、非使用時（塗装作業時以外）は、各下面ローラーを上方に移動させて、各下面ローラーを接地させることなく、折板屋根用塗装機（台車）の移動及び搬送を行うことができ、移動経路（道路）上や搬送車両の荷台等に塗料が付着することを防止できる。
【００１３】
本考案に係る折板屋根用塗装機において、塗料供給手段が、塗料供給管を開閉する開閉手段を有する場合、塗装作業終了後に開閉手段で塗料供給管を閉塞して塗料収容部に残りの塗料を保管できるだけでなく、開閉手段の開閉量で塗料の供給量を調整することや、台車を塗装済みの凸条部の上から塗装前の凸条部の上に移動させる途中に、無駄な塗料が垂れることを防ぐことができる。
【００１４】
本考案に係る折板屋根用塗装機において、台車に、対をなす第１、第２の把手部が設けられた場合、使用時に、一人の作業者が第１の把手部又は第２の把手部を手で引いて（又は押して）台車を凸条部に沿って移動させることに加え、二人の作業者がそれぞれ第１、第２の把手部を手で握って台車を持ち上げ、塗装済みの凸条部の上から塗装前の凸条部の上に容易に移動させることができ、作業性に優れる。
【図面の簡単な説明】
【００１５】
【図１】本考案の一実施の形態に係る折板屋根用塗装機を示す側面図である。
【図２】同折板屋根用塗装機を示す背面図である。
【図３】同折板屋根用塗装機を示す正面図である。
【考案を実施するための形態】
【００１６】
続いて、添付した図面を参照しつつ、本考案を具体化した実施の形態につき説明し、本考案の理解に供する。
図１〜図３に示す本考案の一実施の形態に係る折板屋根用塗装機１０は、断面台形状の凸条部１１と平坦部１２が交互に連続して形成された折板屋根１３の外表面の塗装に用いられるものである。
折板屋根用塗装機１０は、平坦部１２上で転動する移動手段１４を有し、隣り合う２つの凸条部１１に跨って折板屋根１３上を凸条部１１の長手方向に沿って移動可能な台車１５と、台車１５に取り付けられて凸条部１１及び平坦部１２の表面を塗装する塗装手段１６と、台車１５に搭載され塗装手段１６に塗料を供給する塗料供給手段１７とを備えている。
【００１７】
本実施の形態では、台車１５が、隣り合う２つの凸条部１１に跨って移動できるように、移動手段１４として、凸条部１１の間隔（平坦部１２の位置）に合わせて、台車１５の基台１８の底部の四隅にタイヤ１９を取り付けたが、台車が跨ぐ凸条部１１の数は３つ以上でもよく、台車が跨ぐ凸条部１１の数及び基台の大きさ等に応じて、タイヤの数及び配置は、適宜、選択され、例えば３輪でもよいし、６輪以上でもよい。また、移動手段はタイヤに限らず、球体やころ等の転動体でもよい。
【００１８】
塗装手段１６は、凸条部１１の上面に当接して回転する上面ローラー２０（図１、図２参照）と、凸条部１１の両側面にそれぞれ当接して回転する左側面ローラー２１ａ及び右側面ローラー２１ｂ（図１、図３参照）と、平坦部１２の上面に当接する下面ローラー２２（図１、図２参照）とを有している。本実施の形態では、２つの凸条部１１に対応させて、上面ローラー２０と左側面ローラー２１ａ及び右側面ローラー２１ｂを２個ずつ並列に配置し、２つの凸条部１１の中間と両外側に位置する３つの平坦部１２に対応させて下面ローラー２２を３個並列に配置したが、これらの数は、同時に塗料を塗布する凸条部１１及び平坦部１２の数に応じて、適宜、選択される。なお、上面ローラー、左側面ローラー、右側面ローラー、下面ローラーは、それぞれ２個以上備えるのが好ましい。また、説明の都合上、図２では、左側面ローラー２１ａ及び右側面ローラー２１ｂを省略し、図３では、上面ローラー２０及び下面ローラー２２を省略している。
【００１９】
また、本実施の形態では、台車１５（折板屋根用塗装機１０）の前後方向に対して、基台１８の前側に左側面ローラー２１ａ及び右側面ローラー２１ｂを配置し、後側に上面ローラー２０及び下面ローラー２２を配置したが、これらの配置は、適宜、選択される。特に、左側面ローラー２１ａ及び右側面ローラー２１ｂについては、図１、図３に示すように、隣り合う２つの凸条部１１の間で近接する右側面ローラー２１ｂと左側面ローラー２１ａが干渉しないように、前後にずらして配置することが好ましい。また、上面ローラー２０、左側面ローラー２１ａ、右側面ローラー２１ｂ及び下面ローラー２２は、台車１５（折板屋根用塗装機１０）の前後動に応じて正逆回転できるように軸支されていればよく、その固定方法は適宜、選択される。なお、塗装手段１６は、各上面ローラー２０、各左側面ローラー２１ａ、各右側面ローラー２１ｂ及び各下面ローラー２２をそれぞれの塗装対象面（凸条部１１の上面と両側面及び平坦部１２の上面）に押付ける付勢バネ（図示せず）を有することにより、斑無く確実に塗装作業を行うことができる。
【００２０】
塗料供給手段１７は、塗料が収容される塗料収容部２３と、塗料収容部２３に連結され、各上面ローラー２０、各左側面ローラー２１ａ及び各右側面ローラー２１ｂの上方から塗料を滴下する２本の塗料供給管２４ａ、２４ｂとを有している。本実施の形態では、一側が塗料収容部２３の底部に連結された２本の塗料供給管２４ａ、２４ｂの他側をそれぞれ分岐させて合計６箇所の供給口２５を設けたが、塗料供給手段は、各上面ローラー２０、各左側面ローラー２１ａ及び各右側面ローラー２１ｂの上方から塗料を滴下することができればよく、塗料供給管の数、配置及び経路は、適宜、選択され、例えば、１本の塗料供給管の他側を分岐させた先にそれぞれの供給口を形成してもよいし、供給口毎に独立した塗料供給管を備えてもよい。なお、塗料収容部から各供給口まで自然に（重力で）塗料が流れるように、必要に応じて、塗料供給管の一部又は全部を傾斜させることができる。なお、説明の都合上、図２では、塗料供給管２４ｂを省略し、図３では、塗料供給管２４ａを省略している。
【００２１】
また、塗料供給手段１７は、塗料供給管２４ａ、２４ｂを開閉する開閉手段２６を有することにより、必要時（塗装作業時）には塗料供給管２４ａ、２４ｂを開いて塗料を供給し、不要時（搬送時及び保管時）には塗料供給管２４ａ、２４ｂを閉じて塗料の滴下を防止することができる。本実施の形態では、各供給口２５の上流側にそれぞれレバー式（回動式）の開閉手段２６を取り付けたが、開閉手段の形態、数及び配置は、適宜、選択され、例えば塗料供給管の分岐位置毎に開閉手段を設けてもよいし、塗料収容部の出口（塗料供給管の一側）に１つだけ開閉手段を設けてもよい。また、開閉手段は、塗料供給管の開閉のみを切替えるものでもよいが、開度により塗料の供給量を調整できるものでもよい。
【００２２】
台車１５には、対をなす第１、第２の把手部２７、２８が設けられている。本実施の形態では、台車１５（折板屋根用塗装機１０）の前後方向に対して、基台１８の後側に第１の把手部２７を取り付け、前側に第２の把手部２８を取り付けた。これにより、使用時に、一人の作業者が第１の把手部２７を手で押して（又は第２の把手部２８を手で引いて）台車１５（折板屋根用塗装機１０）を凸条部１１に沿って移動させながら塗装を行うことができ、折板屋根用塗装機１０を塗装済みの凸条部１１の上から塗装前の凸条部１１の上に移す際には、二人の作業者がそれぞれ第１、第２の把手部２７、２８を手で握って台車１５（折板屋根用塗装機１０）を持ち上げ、容易に移動させることができる。
【００２３】
以上のように構成された折板屋根用塗装機１０の使用方法について説明する。
作業者は、台車１５（基台１８）が、塗装の対象となる隣り合う２つの凸条部１１に跨るように、折板屋根１３上に折板屋根用塗装機１０を載置する。このとき、４つのタイヤ１９は、２つの凸条部１１の両外側に位置する平坦部１２に接地させる。そして、各開閉手段２６を開いて各供給口２５から塗料が滴下し始めたら、作業者は、第１の把手部２７を手で押して（又は第２の把手部２８を手で引いて）折板屋根用塗装機１０を凸条部１１に沿って凸条部１１の長手方向の一側から他側に向かって移動させる。その間に、各供給口２５から滴下する塗料は、各上面ローラー２０、各左側面ローラー２１ａ及び各右側面ローラー２１ｂで引き伸ばされて２つの凸条部１１の上面及び両側面にそれぞれ塗布される。凸条部１１の上面には所定の間隔で固定ボルト３０が突出しているが、上面ローラー２０の弾力性により固定ボルト３０を乗り越えることができる。また、２つの凸条部１１の中間と両外側に位置する３つの平坦部１２に垂れた塗料は３個の下面ローラー２２でそれぞれ引き伸ばされて各平坦部１２の表面（上面）に塗布される。なお、台車１５（折板屋根用塗装機１０）を小刻みに前後動させながら移動させることにより、斑無く確実に塗装を行うことができる。但し、第１の把手部２７を手で押す作業者は、塗料が乾燥していない凸条部１１を避け、塗装前の凸条部１１の上（又は塗料が乾燥した凸条部１１の上）を歩行する必要がある。その後、折板屋根用塗装機１０が凸条部１１の長手方向の他側まで移動したら、二人の作業者は、それぞれ第１、第２の把手部２７、２８を手で握って台車１５（折板屋根用塗装機１０）を持ち上げ、前後を入れ替えて、塗装前の凸条部１１の上に移動させる。そして、作業者は、第１の把手部２７を手で押して（又は第２の把手部２８を手で引いて）台車１５（折板屋根用塗装機１０）を凸条部１１に沿って凸条部１１の長手方向の他側から一側に向かって移動させ、塗装を行う。以上の動作を順次、繰り返すことにより、折板屋根１３の外表面全体を塗装することができる。
【００２４】
作業を終了する際には、各開閉手段２６を閉じて折板屋根用塗装機１０を折板屋根１３から降ろす。このとき、台車１５に上下動可能に取り付けられている下面ローラー２２を上方に移動させ、各下面ローラー２２が地面に接地することを防ぐことにより、折板屋根用塗装機１０（台車１５）を移動手段１４（タイヤ１９）で移動させても、移動経路（道路）上に塗料が付着せず、下面ローラー２２の損耗が発生しない。また、折板屋根用塗装機１０を搬送車両の荷台等に搭載して搬送する際にも、下面ローラー２２が荷台等の表面に接触することを防止して、塗料の付着を防ぐことができる。なお、本実施の形態では、下面ローラーを保持するアーム部を台車に対して回動可能に取り付けて、下面ローラーを上下動させる構造としたが、下面ローラーは、台車に上下動可能に取り付けられていればよく、その構造及び取り付け方法は、適宜、選択される。例えば、下面ローラーを支持するアーム部を伸縮させて上下動させる構造としてもよい。上面ローラー、左側面ローラー及び右側面ローラーは、移動手段（タイヤ）の底面（接地面）よりも上方に取り付けられており、平坦面に対して接地することはないが、下面ローラーと同様に、台車に対して上下動可能に取り付け、非使用時（移動時及び搬送時）に必要に応じて、上方に移動させてもよい。
【００２５】
本実施の形態では、下面ローラー２２が、上面ローラー２０に対して、台車１５（基台１８）の後方に配置されているため、折板屋根用塗装機１０が、常に、台車１５（基台１８）の前方に向かって移動するように、進行方向に合わせて台車１５（折板屋根用塗装機１０）の前後を入れ替えて使用したが、上面ローラーと、左側面ローラー及び各右側面ローラーとの間に下面ローラーを配置した場合、前進時でも後退時でも下面ローラーで確実に塗料を塗ることができ、台車（折板屋根用塗装機）の前後を入れ替える必要がなく、施工性に優れる。
【００２６】
以上、本考案の実施の形態を説明したが、本考案は、上記した形態に限定されるものでなく、要旨を逸脱しない条件の変更等は全て本考案の適用範囲である。
例えば、上記実施の形態では、塗装手段として、凸条部の上面及び両側面にそれぞれ対応させて上面ローラー及び側面ローラーを配置し、平坦部に対応させて下面ローラーを配置したが、これらに加え、又は、これらに代えて刷毛を用いてもよく、ローラーと刷毛の配置の組合せは、適宜、選択可能である。
台車（基台及び第１、第２の把手部）の材質は、適宜、選択され、ステンレス等の金属でも合成樹脂（強化プラスチックを含む）でもよいし、木でもよい。塗料収容部の材質は、金属でも合成樹脂でもよい。また、塗料供給管には、金属製又は合成樹脂製のパイプが好適に用いられるが、一部に、合成樹脂製のホース又はチューブを組合せてもよい。
【符号の説明】
【００２７】
１０：折板屋根用塗装機、１１：凸条部、１２：平坦部、１３：折板屋根、１４：移動手段、１５：台車、１６：塗装手段、１７：塗料供給手段、１８：基台、１９：タイヤ、２０：上面ローラー、２１ａ：左側面ローラー、２１ｂ：右側面ローラー、２２：下面ローラー、２３：塗料収容部、２４ａ、２４ｂ：塗料供給管、２５：供給口、２６：開閉手段、２７：第１の把手部、２８：第２の把手部、３０：固定ボルト
【図１】
0003233190.tif 000003
【図２】
0003233190.tif 000004
【図３】
0003233190.tif 000005